(57)【要約】      （修正有）【課題】透光性のある天然木を表面材として、障子建具、襖建具及び板戸建具等の従来建具の手入れの不憫性や低耐久性などの負の課題を克服し、また採光機能と用いる。芯材に各種組子を採用することによる美観を付与し、障子では得られない襖建具、板戸建具並の遮音性が確保できる建具であり、且つ利用場所を和室・洋室に限定されない建具を提供する。【解決手段】建具本体枠の基本構造は、板戸を基準とし小穴溝を突き回した上下の横框２と左右の縦框１で組まれ、内部は横桟の代わりに、細割木材で組まれた菱模様や組子模様をもって成すものとする。また表面材である鏡板の代わりに、１ｍｍ厚の透明アクリル板と透光性を有した紙質のスペーサーからなる裏打材の表面に、薄くスライスされた天然木を貼り合わせた透光性のあるツキ板材３を本体表裏にはめ込み構成するものとする。【選択図】図１
0003147611.tif 000002
【実用新案登録請求の範囲】
【請求項１】
本考案は，左右，上下の４本の框材を骨組とした基本構造を有し，建具表裏面に使われる鏡板に代わる表面材として，薄くスライスされた天然木のツキ板材を用い，併せて芯材の代替として木材の細い角材を組み合わせて模様を成す組子を用い構成されるものであり，木材としての材質感や色，木理等を表しながら光を通す構造を有する特徴を持つ建具である。
【請求項２】
請求項１に記した表面材の天然木ツキ板材は，透明アクリル板と透光性を有する極めて薄い不織布を裏打ち材として，表面に薄い天然木を張り合わせた構造となっている。表面の天然木は０．３ｍｍ厚以下に薄くスライス状に削られたものを用いることで，木材細胞の空隙や組織自体を光が通過し，透光性を生じるツキ板となる。本考案はこのツキ板の透光性を利用することで木理の美しさと採光機能を併せ持つことを特徴とした請求項１の建具である。
【請求項３】
請求項２に記した天然木ツキ板材の透光性により，建具の芯材である木材の細い角材を組み合わせて模様を成す組子が建具の表面材に浮かび上がり，表面材の木理とは異なる組子の形状，文様を表出する二次的装飾の効果を生じせしめる特徴を有する請求項１の建具である。
【請求項４】
請求項２に記した透明アクリル板と透光性を有する極めて薄い不織布により裏打ちされた天然木ツキ板を用いることで，従来の紙障子，紙襖に比して建具表面の耐久性が向上し，表面材の張替・交換時期が長期化することと，紙襖，板戸並の遮音性を確保しつつ，透光性を付与した特徴を有する請求項１の建具である。
【請求項５】
請求項１に記した建具の骨組構造は，表面材の取替えを容易にするために上部横框の一部がスライドにより脱却可能な構造となっており，表面材の材種や木目模様・色調を容易に交換しえることや，心材の組子の文様，構造も容易に交換できる特徴を付与した建具である。
【考案の詳細な説明】
【技術分野】
【０００１】  本考案は，一般住宅を主に建築物件において，空間を仕切る場合に用いられる建具に関わるものであり，上下左右の框及び組子芯材と透光性を有する天然木ツキ板材から構成され，透光性材料の利用による採光機能及び天然木及び組子模様の採用による美的機能を併せ持つ建具に関するものである。
【背景技術】
【０００２】  採光機能を有す従来建具の代表的なものとして障子建具あるが，これは上下左右の框材と内部に格子状の芯材を持って骨組みされており，格子状の芯材に和紙を糊付けされることにより全体が構成されている。【０００３】  その他，類似した建具に透光性の無い目隠し機能を持って完全に住居空間を仕切る機能を持った襖建具や板戸建具がある。これは表面材にビニルクロスや合板等を用いることによって，構成されている。
【考案の開示】
【考案が解決しようとする課題】
【０００４】  既述した障子建具は使用による和紙の破れや，格子状の芯材は露出することにより凹凸部を多々有すことから建具表面積が多くゴミ塵が溜まりやすくなり，美的管理や清掃管理に気を配る必要がある。また従来の障子建具は外観上，和風建築，和室への利用に用途が限定される。【０００５】  また既述した襖建具や板戸建具は，完全に空間を仕切ってしまうため外部からの採光を取り入れ難く，住居空間への光源を室内灯に頼らなくてはならない。【０００６】  本考案の天然木ツキ板材を用いた木質面を有する透光型組子建具は，透光性のある天然木を表面材として用いる事により，上記した障子建具，襖建具及び板戸建具等の従来建具が持つ課題を克服し，また採光機能と完全な間仕切り更に遮音性といった複数の機能を併せ持つ建具であり，且つ利用場所を和室・洋室に限定されない建具を提供するものとする。
【課題を解決するための手段】
【０００７】  本考案における課題は木製組子建具と透光性を有する天然木ツキ板により，以下に示す手段によって達成される。【０００８】  建具本体枠の基本構造は，板戸を基準とし小穴溝を突き回した上下の横框と左右の縦框で組まれ，内部は横桟の代わりに，細割木材で組まれた升組，菱組，麻の葉，のし網，亀甲などの組子模様をもって成すものとする。また表面材である鏡板の代わりに，１ｍｍ厚の透明アクリル板と透光性を有した紙質のスペーサーからなる裏打材の表面に，薄くスライスされた天然木を貼り合わせたツキ板材を本体表裏にはめ込み構成するものとする。【０００９】  天然木ツキ板材は０．３ｍｍ厚以下に薄くスライス状に削られた天然木を用いることで，木材細胞の空隙と細胞を光が通過し，透光性を生じるツキ板材となる。本考案はこのツキ板の透光性を利用することで，木理の美しさと採光機能を併せ持つことを特徴とする請求項１の建具である。【００１０】  また上横框の小穴部分を差し込み式（フタ式）の構造にする事によって，鏡板である天然木ツキ板材及び組子心材を容易に差し替えられるよう構成した請求項１の建具である。
【考案の効果】
【００１１】  本考案により，障子建具や襖建具，板戸建具など日本の伝統的な建具様式の技術を生かしながら，天然木ツキ板材を利用することにより，採光機能と木理面による目隠し機能を有した建具を提供する事ができる。【００１２】  また，天然木ツキ板材を建具の両面に装着することで建具の表面積が縮小する事によって，良好な清掃性と表面材の耐久性が向上し，管理保守の面においても優位性をもたらす事が可能となる。【００１３】  また，天然木ツキ板材の利用により，木理面を有した板戸建具または襖建具のように遮視，遮音としての機能する一方，周囲の光源状況によって光を透過することで障子建具として機能するといった，２つの特徴を有す建具を提供する事ができる。【００１４】  また，天然木ツキ板材の利用により，美しい木理面を有している事と，周囲の光源状況により光が天然木ツキ板材を透過し，芯材として内部に組み込まれた組子模様が陰影となり木理表面に表出することによって，美観的優位性を発揮し，使用者に癒し効果をもたらす事ができる。【００１５】  尚且つ，天然木ツキ板材を利用する事により，意匠面においても和風洋風両方の趣を有するので，和洋式を問わず使用が可能な広い汎用性を持った建具を提供することが可能となる。
【考案を実施するための最良の形態】
【００１６】  上記した，本考案に係わる天然木ツキ板材を用いた木質面を有する透光型組子建具の実施の形態を，図面を参照しながら詳細に説明する。なお，図１は天然木ツキ板材を用いた木質面を有する透光型組子建具の一実施の形態を概念的に示した正面平面図，図２は図１における天然木ツキ板材を用いた木質面を有する透光型組子建具のＡ−Ａ‘に沿う部分の断面図，図３は図１におけるＢ−Ｂ’線及びＣ−Ｃ‘線に沿う部分の断面上方斜視図である。【００１７】  図１に示した天然木ツキ板材を用いた木質面を有する透光型組子建具は，符号▲１▼の縦框，符号▲２▼の横框及び符号▲３▼の天然木ツキ板材，符号▲４▼の組子芯材から構成されている。【００１８】  天然木ツキ板材を用いた木質面を有する透光型組子建具は，図２Ａ−Ａ‘断面図に示すように組子を芯材に，縦框及び横框に突き回された小穴溝をガイドとし，図３に示すように天然木ツキ板材で組子芯材をはさみ込む形で差し込まれ，図３の符号▲５▼の抜き板による固定により構成される。天然木ツキ板材はツキ板，不織布，アクリル板の三層構造を持つ材である。【００１９】  以上，本考案に係わる天然木ツキ板材を用いた木質面を有する透光型組子建具の実施を説明したが，本考案は何ら既述の実施形態に限定されず，請求範囲に記載した本考案の技術的思想の範囲内において，更に種々の変形及び変更が可能である事は当然である。
【実施例】
【００２０】  例えば，住空間の中で和室と洋室の２つの空間が隣接する形態で，和室と洋室が一個の建具により仕切られる状況を想定する。和室と洋室は床材をはじめ壁材など，全く違った形態を持つ空間で，本来であれば．そこに使われる建具もそれぞれに合ったものが使われる。ここで例に挙げた空間を持つ場合，
部屋を建具で仕切るにあたり，和風もしくは洋風のどちらかを犠牲にしなければならない。具体的に述べると，和室を優先して障子等を採用した場合，和室側は均整が取れるが，洋室側は建具の部分に違和感を残してしまうことになり，この逆もしかりである。【００２１】  上記した状況下において本考案の天然木ツキ板材を用いた木質面を有する透光型組子建具は，木製ドアのような木質面を持ちながら，透光機能を有する事により組子陰影が現れ和風の様相も演出でき，和室洋室双方の均整を崩すことなく利用できるものである。【００２２】  もちろん，隣接する部屋の様式に係わらず利用できる事は当然である。
【産業上の利用可能性】
【００２３】  本考案の天然木ツキ板材を用いた木質面を有する透光型組子建具は，住宅をはじめとし，商業や公共的施設など，目まぐるしく変化する住・建築環境の中において，和風，洋風に捉われることなく利用できるものである。【００２４】  また本考案の天然木ツキ板材を用いた木質面を有する透光型組子建具は，日本の伝統的な建具製造技術を応用するものであり，住環境の新しい構成要素として，また新しい商品として期待されるものである。
【図面の簡単な説明】
【００２５】
【図１】本考案の天然木ツキ板材を用いた木質面を有する透光型組子建具の正面を示した概念的な平面図である。
【図２】図１のＡ−Ａ‘線に沿う断面図である。
【図３】図１のＢ−Ｂ‘及び，Ｃ−Ｃ’線に沿う断面上方斜視図である。
【符号の説明】
【００２６】▲１▼縦框
▲２▼横框
▲３▼天然木ツキ板材
▲４▼組子
▲５▼抜き板
【図１】
0003147611.tif 000003
【図２】
0003147611.tif 000004
【図３】
0003147611.tif 000005
【手続補正書】
【提出日】平成20年9月4日(2008.9.4)
【手続補正１】
【補正対象書類名】実用新案登録請求の範囲
【補正対象項目名】全文
【補正方法】変更
【補正の内容】
【実用新案登録請求の範囲】
【請求項１】
左右，上下の４本の框材を骨組とした基本構造を有し，建具表裏面に使われる鏡板に代わる表面材として，薄くスライスされた天然木のツキ板材を用い，併せて芯材の代替として木材の細い角材を組み合わせて模様を成す組子を用い構成されるものであり，木材としての材質感や色，木理等を表しながら光を通す構造を有する建具。
【請求項２】
表面材の天然木ツキ板材は，透明アクリル板と透光性を有する極めて薄い不織布を裏打ち材として，表面に薄い天然木を張り合わせた構造となっており、この表面の天然木は０．３ｍｍ厚以下に薄くスライス状に削られたものを用いることで，木材細胞の空隙や組織自体を光が通過し，透光性を生じるツキ板となり、このツキ板の透光性を利用することで木理の美しさと採光機能を有する請求項１記載の建具。
【請求項３】
天然木ツキ板材の透光性により，建具の芯材である木材の細い角材を組み合わせて模様を成す組子が建具の表面材に浮かび上がり，表面材の木理とは異なる組子の形状，文様を表出する請求項１記載の建具。
【請求項４】
透明アクリル板と透光性を有する極めて薄い不織布により裏打ちされた天然木ツキ板を用いることで，従来の紙障子，紙襖に比して建具表面の耐久性が向上し，表面材の張替・交換時期が長期化することと，紙襖，板戸並の遮音性を確保しつつ，透光性を付与した請求項１記載の建具。
【請求項５】
建具の骨組構造は，表面材の取替えを容易にするために上部横框の一部がスライドにより脱却可能な構造となっており，表面材の材種や木目模様・色調を容易に交換しえることや，心材の組子の文様，構造も容易に交換できる請求項１記載の建具。